(57)【特許請求の範囲】
【請求項１】
前後厚みを有し上下に長い本体ケース（１）に肌面に美容刺激を付与する肌処理ヘッド（６）が設けてあり、
本体ケース（１）と肌処理ヘッド（６）の間に、肌処理ヘッド（６）を出没可能に支持するヘッド支持機構（１６）が設けられており、
ヘッド支持機構（１６）が、本体ケース（１）に連結されて前後傾動する支持リンク体（１７）と、同リンク体（１７）を傾動操作して肌処理ヘッド（６）を収納姿勢と使用姿勢の間で切換える操作機構（１８）を備えており、
操作機構（１８）が、本体ケース（１）に沿って上下スライドする第１操作具（２５）と、第１操作具（２５）のスライド動作を受けて肌処理ヘッド（６）を収納姿勢と使用姿勢の間で前後に傾動操作する第２操作具（２６）を備えており、
支持リンク体（１７）と、第２操作具（２６）のそれぞれが、屈曲変形可能な弾性シート材で形成してあり、
第１操作具（２５）のスライド操作により、支持リンク体（１７）と第２操作具（２６）が前突湾曲状に屈曲変形することで肌処理ヘッド（６）が前方へ突き出ることを特徴とする美容器具。
【請求項２】
肌処理ヘッド（６）は、収納姿勢と使用姿勢の間で出没できるよう本体ケース（１）で支持されており、
収納姿勢における肌処理ヘッド（６）は、本体ケース（１）の前後厚み範囲内に収容され、使用姿勢における肌処理ヘッド（６）は、少なくとも肌接触面（４４ａ）が本体ケース（１）の外面から突出している請求項１に記載の美容器具。
【請求項３】
使用姿勢における肌処理ヘッド（６）の背面が、本体ケース（１）の外面から突出している請求項１、または２に記載の美容器具。
【請求項４】
肌処理ヘッド（６）は、収納姿勢と使用姿勢の間で出没できるよう本体ケース（１）で支持されており、
本体ケース（１）の上部に、収納姿勢における肌処理ヘッド（６）を収納するヘッド収容部（５）が設けられており、
肌処理ヘッド（６）をヘッド収容部（５）に収納した状態において、肌処理ヘッド（６）の少なくとも左右周面と下周面がヘッド収容部（５）で覆われている請求項１から３のいずれかひとつに記載の美容器具。
【請求項５】
ヘッド収容部（５）が無端環状の凹部、ないし本体ケース（１）を前後に貫通する貫通穴で形成してある請求項４に記載の美容器具。
【発明の詳細な説明】
【技術分野】
【０００１】
本発明は、肌面に熱刺激や電流刺激あるいは振動刺激などの美容刺激を付与して美容効果を向上する美容器具に関し、なかでも不使用時の美容器具の全厚寸法（前後厚み）を小さくして、嵩張ることなく収納し、あるいは携行できるようにした美容器具に関する。
【背景技術】
【０００２】
この種の美容器具は、例えば特許文献１に公知である。そこでは、肌刺激ヘッドを備えた上板と、紫外線出力部を備えた下板をヒンジ部で折畳み可能に連結している。肌刺激ヘッドにはイオン出力部と超音波出力部が設けてあり、下板には３個の操作ボタンと、ディスプレイ部と、凹穴状の紫外線出力部が設けてある。使用時には、上板と下板を側面から見て直線状に展開し、肌刺激ヘッドを肌面に沿って滑らせながら美容処理を行う。また、不使用時には、上板と下板を折畳んで収納姿勢にし、肌刺激ヘッドを紫外線出力部と正対させて同ヘッドを保護し、さらに紫外線出力部を作動させて肌刺激ヘッドを殺菌する。
【先行技術文献】
【特許文献】
【０００３】
【特許文献１】特開２００８−７３４９８号公報（段落番号００１１〜００１８、図１）
【発明の概要】
【発明が解決しようとする課題】
【０００４】
特許文献１の美容器具によれば、不使用時には上板と下板を二つ折りにして、コンパクトな収納姿勢にして保管し、あるいは携行できる。しかし、上板と下板を二つ折りにした状態では、美容器具の前後厚みが下板の前後厚みの２倍弱になるため、収納に要するスペースが大きくなり、あるいは携行する際に嵩張りやすい点に問題がある。
【０００５】
本発明の目的は、不使用時の美容器具の全厚寸法を小さくして、嵩張ることなく収納ないし携行できる、使い勝手とデザイン性に優れた美容器具を提供することにある。
【課題を解決するための手段】
【０００６】
本発明に係る美容器具は、本体ケース１に肌面に美容刺激を付与する肌処理ヘッド６が設けてあり、肌処理ヘッド６が本体ケース１に対して出没自在に設けてあることを特徴とする。
【０００７】
肌処理ヘッド６は、収納姿勢と使用姿勢の間で出没できるよう本体ケース１で支持されている。収納姿勢における肌処理ヘッド６は、本体ケース１の厚み範囲内に収容され、使用姿勢における肌処理ヘッド６は、少なくとも肌接触面４４ａが本体ケース１の外面から突出している。
【０００８】
使用姿勢における肌処理ヘッド６の背面は、本体ケース１の外面から突出している。
【０００９】
肌処理ヘッド６は、収納姿勢と使用姿勢の間で出没できるよう本体ケース１で支持されている。図８に示すように、使用姿勢における肌処理ヘッド６のヘッド中心軸線Ｐ１と本体ケース１のケース中心軸線Ｐが挟む角度θ２と、収納姿勢における肌処理ヘッド６のヘッド中心軸線Ｐ１と本体ケース１のケース中心軸線Ｐが挟む角度θ１を異ならせる。前者角度θ２は後者角度θ１に比べて大きく設定する。
【００１０】
肌処理ヘッド６は、収納姿勢と使用姿勢の間で出没できるよう本体ケース１で支持されている。図１２に示すように、肌処理ヘッド６に装着した支持リンク体１７の上部を本体ケース１に装着して、肌処理ヘッド６を前後傾動可能に支持する。使用姿勢における肌処理ヘッド６の肌接触面４４ａが後傾姿勢になるよう支持リンク体１７を配置する。
【００１１】
本体ケース１と肌処理ヘッド６の間に、肌処理ヘッド６を出没可能に支持するヘッド支持機構１６を設ける。図１に示すようにヘッド支持機構１６は、本体ケース１に連結されて前後傾動する支持リンク体１７と、同リンク体１７を傾動操作して肌処理ヘッド６を収納姿勢と使用姿勢の間で切換える操作機構１８を備えている。
【００１２】
図４に示すように、本体ケース１の下半側にグリップ部４を設け、本体ケース１の上端とグリップ部４の間に肌処理ヘッド６を配置する。支持リンク体１７の上部は本体ケース１の上端側に前後傾動可能に連結する。支持リンク体１７の下部と肌処理ヘッド６を相対傾動可能に連結する。
【００１３】
操作機構１８は、本体ケース１に沿って上下スライドする第１操作具２５と、第１操作具２５のスライド動作を受けて肌処理ヘッド６を収納姿勢と使用姿勢の間で前後に傾動操作する第２操作具２６を備えている。
【００１４】
第１操作具２５はグリップ部４に配置されて、本体ケース１に設けたガイド構造２７で上下スライド自在に案内支持されている。図４に示すように、ガイド構造２７に臨む第１操作具２５の外面に、第１操作具２５をスライド操作する操作ノブ２８を設ける。
【００１５】
図１１に示すように支持リンク体１７と、第２操作具２６のそれぞれを、屈曲変形可能な弾性シート材で形成する。
【００１６】
肌処理ヘッド６は、収納姿勢と使用姿勢の間で出没できるよう本体ケース１で支持されている。図３に示すように本体ケース１の上部に、収納姿勢における肌処理ヘッド６を収納するヘッド収容部５を設ける。肌処理ヘッド６をヘッド収容部５に収納した状態において、肌処理ヘッド６の少なくとも左右周面と下周面をヘッド収容部５で覆うようにする。
【００１７】
ヘッド収容部５は無端環状の凹部、ないし本体ケース１を前後に貫通する貫通穴で形成する。
【００１８】
綿マットＭを肌処理ヘッド６に装着するためのリング状のキャップ５２を、肌処理ヘッド６に着脱可能に装着する。キャップ５２は肌処理ヘッド６に装着した状態のままで、肌処理ヘッド６をヘッド収容部５に収納できる（図８参照）。
【００１９】
肌処理ヘッド６に、肌面に電流を供給する肌電極４４を設ける。肌電極４４に接続した給電リード５６を、支持リンク体１７に沿って配置する。
【００２０】
グリップ部４の内部に肌電極４４に電流を供給する電源部を配置する。図７に示すように電源部から導出した給電リード５６は、ヘッド収容部５を囲むケース壁の内部から導出して、中空の支持リンク体１７の内部に沿って肌電極４４に接続する。
【００２１】
使用姿勢にした肌処理ヘッド６は、前後、左右、上下の少なくとも一つの方向へ浮動できるよう、ヘッド支持機構１６を構成する。
【００２２】
肌処理ヘッド６は、収納姿勢と使用姿勢の間で出没できるよう本体ケース１で支持されている。本体ケース１の上部に、収納姿勢における肌処理ヘッド６を収納するヘッド収容部５を、本体ケース１を前後に貫通する貫通穴で形成する。図１６に示すように、ヘッド収容部５に収納した肌処理ヘッド６の背面に、肌処理ヘッド６を収納姿勢から使用姿勢に押出し操作する押出し操作部８９を設ける。
【００２３】
肌処理ヘッド６の前部に、肌処理ヘッド６を使用姿勢から収納姿勢に押戻し操作する押戻し操作部９０を設ける。
【００２４】
本体ケース１と肌処理ヘッド６の間に、肌処理ヘッド６を出没可能に支持するヘッド支持機構１６を設ける。ヘッド支持機構１６は、肌処理ヘッド６を収納姿勢および使用姿勢においてそれぞれ位置保持する節度機構を備えている。本体ケース１と肌処理ヘッド６の間、ないし本体ケース１とヘッド支持機構１６の間に、肌処理ヘッド６を使用姿勢に向かって移動付勢する付勢手段７７を設ける。
【００２５】
肌処理ヘッド６は、収納姿勢と使用姿勢の間で出没できるよう本体ケース１で支持されている。本体ケース１の上部に、収納姿勢における肌処理ヘッド６を収納するヘッド収容部５を凹み形成する。図２０に示すようにヘッド支持機構１６は、テレスコピック構造の弾性支持体１０１で構成し、その前端に肌処理ヘッド６を固定する。弾性支持体１０１は、肌処理ヘッド６が本体ケース１の前方へ突出する多段筒状の使用姿勢と、肌処理ヘッド６がヘッド収容部５に収納される多重リング状の収納姿勢に変形可能である。弾性支持体１０１は、自己の弾性で肌処理ヘッド６を使用姿勢および収納姿勢に位置保持する。
【００２６】
使用姿勢における弾性支持体１０１は、多段筒状に連続する段筒壁９８で構成する。弾性支持体１０１の周囲の一部が外力を受けて多重リング状の収納姿勢に変形操作された状態において、外力が開放されるのと同時に、弾性支持体１０１が多段筒状の使用姿勢に自己復帰できるように段筒壁９８を構成する。
【００２７】
肌処理ヘッド６に、肌面に電流を供給する肌電極４４を設けて、本体ケース１に設けた電源部と肌電極４４を、給電リード５６を介して接続する。多段筒状の使用姿勢に変形操作された弾性支持体１０１の突出端に、肌処理ヘッド６を装着するための装着壁１００を設ける。給電リード５６は装着壁１００を貫通して肌電極４４に接続する。装着壁１００が給電リード５６のシール体６３を兼ねている。
【００２８】
弾性支持体１０１を多段筒状の使用姿勢にした状態において、肌処理ヘッド６は後傾している（図２１、図２２、図２３参照）。
【００２９】
図２１に示すように弾性支持体１０１の下半側の段筒壁９８の前後寸法は、上半側の段筒壁９８の前後寸法より大きく設定する。弾性支持体１０１を使用姿勢にした状態において、肌処理ヘッド６を弾性支持体１０１で後傾姿勢に保持する。
【００３０】
弾性支持体１０１を多重リング状の収納姿勢に変形操作した状態において、本体ケース１に装着した弾性支持体１０１の全体が後傾している。弾性支持体１０１を使用姿勢にした状態において、肌処理ヘッド６を弾性支持体１０１で後傾姿勢に保持する。
【００３１】
不使用時の本体ケース１を支持する充電スタンド２を備えている。本体ケース１と充電スタンド２の間には、本体ケース１の内部に設けた２次電池１３を充電する非接触充電装置を設ける。図２に示すように充電スタンド２には、本体ケース１のヘッド収容部５と係合して、不使用時の本体ケース１を充電姿勢に支持するケース支持部６７を設ける。
【発明の効果】
【００３２】
本発明に係る美容器具においては、肌処理ヘッド６を本体ケース１に対して出没自在に設けるようにした。こうした美容器具によれば、肌処理ヘッド６を本体ケース１から突出させて的確に美容処理を行えるうえ、不使用時には肌処理ヘッド６を本体ケース１側へ没入させて、美容器具の全厚寸法を充分に小さくできる。従って、美容器具を嵩張ることなく収納し、あるいはコンパクトな状態で携行することができる。
【００３３】
収納姿勢における肌処理ヘッド６が、本体ケース１の厚み範囲内に収容されるようにした美容器具によれば、不使用時に肌処理ヘッド６の一部が本体ケース１の外郭線の外へ出っ張るのを避けて、不使用時の美容器具の全厚寸法を本体ケース１の厚みと同じにできる。従って、収納時あるいは携行時に美容器具が占める空間を小さくして、収納しやすく携行しやすい美容器具を提供できる。また、肌処理ヘッド６を収納姿勢にした状態では、肌処理ヘッド６の全体が本体ケース１の外郭線内に収まるので、外観をシンプルですっきりとしたものにしてデザイン性を向上できる。さらに、使用姿勢においては、肌処理ヘッド６の少なくとも肌接触面４４ａを本体ケース１の外面に突出させるので、肌処理ヘッド６による美容処理を適確に、しかも簡便に行って美容器具の使い勝手を向上できる。
【００３４】
使用姿勢において、肌処理ヘッド６の背面を本体ケース１の外面から突出させると、肌処理ヘッド６の全体を本体ケース１の外へ突出させて、その肌接触面４４ａが本体ケース１から大きく突出する状態で美容処理を行うことができる。従って、美容処理を行う際に本体ケース１の一部が肌面に接触するのを避けて、肌処理ヘッド６による美容処理をさらに適確に行うことができる。
【００３５】
肌処理ヘッド６のヘッド中心軸線Ｐ１と本体ケース１のケース中心軸線Ｐが挟む角度に関して、使用姿勢時の角度θ２を収納姿勢時の角度θ１より大きく設定すると、各姿勢の角度差に相当する分だけ肌処理ヘッド６を本体ケース１から大きく突出させて、美容処理をさらに適確に行うことができる。
【００３６】
肌処理ヘッド６に装着した支持リンク体１７を本体ケース１で前後傾動可能に支持し、使用姿勢において肌接触面４４ａを後傾させると、肌接触面４４ａを肌面にあてがった状態において、本体ケース１のグリップ部４を肌面から遠ざけることができる。従って、美容処理を行いたい肌面に肌接触面４４ａを接触させて、美容処理を適確かつ簡便に行うことができる。
【００３７】
前後傾動する支持リンク体１７および、同リンク体１７を傾動操作する操作機構１８を
備えたヘッド支持機構１６を設け、同機構１６で肌処理ヘッド６を出没させる美容器具によれば、操作機構１８を操作することで肌処理ヘッド６を収納姿勢と使用姿勢に切換えることができる。また、収納姿勢あるいは使用姿勢に切換わった肌処理ヘッド６をヘッド支持機構１６で位置保持して、肌処理ヘッド６の姿勢が不用意に切換るのを防止できる。
【００３８】
本体ケース１の上端とグリップ部４の間に肌処理ヘッド６を配置し、支持リンク体１７の上部を本体ケース１の上端側に前後傾動可能に連結すると、使用姿勢における肌処理ヘッド６をグリップ部４から離れる向きに傾動させることができる。従って、美容処理を行う際に本体ケース１の一部や、グリップ部４を握る手などが肌面に接触するのを避けて、肌処理ヘッド６による美容処理をさらに適確に行うことができる。また、支持リンク体１７の下部と肌処理ヘッド６を相対傾動可能に連結すると、使用姿勢における支持リンク体１７の傾動姿勢と肌処理ヘッド６の傾動姿勢が異なる状態で、肌処理ヘッド６を美容処理に適した傾動姿勢に保持して、より効果的に美容処理を行える。
【００３９】
上下スライドする第１操作具２５と、肌処理ヘッド６を前後に傾動操作する第２操作具２６を備えた操作機構１８によれば、使用姿勢にした肌処理ヘッド６の上下を支持リンク体１７と第２操作具２６で確りと安定した状態で支持して、さらに的確に美容処理を行える。
【００４０】
グリップ部４に配置した第１操作具２５の外面に操作ノブ２８を設けると、グリップ部４を片手で握った状態のままで操作ノブ２８を上下スライド操作して、第１操作具２５を使用姿勢あるいは収納姿勢に切換えることができるので、美容器具の使い勝手を向上できる。
【００４１】
支持リンク体１７と、第２操作具２６のそれぞれを、屈曲変形可能な弾性シート材で形成すると、ヘッド支持機構１６の構造の簡素化と軽量化を同時に実現して、美容器具の製造に要するコストを削減できる。例えば、支持リンク体１７や第２操作具２６がプラスチック成形品で構成してある場合には、これら両者１７・２６を本体ケース１や肌処理ヘッド６に連結するためのピンやブラケットが不可欠になるが、こうした連結部品や連結構造を省略してヘッド支持機構１６の構造を大幅に簡素化できる。
【００４２】
本体ケース１の上部にヘッド収容部５を設け、同収容部５に肌処理ヘッド６を収納した状態において、肌処理ヘッド６の少なくとも左右周面と下周面をヘッド収容部５で覆うと、収納時あるいは携行時の肌処理ヘッド６をヘッド収容部５の周囲壁で保護できる。従って、収納時あるいは携行時に他物が肌処理ヘッド６に接当するのを防止して、肌接触面４４ａの傷付きや変形を確実に防止できる。
【００４３】
ヘッド収容部５を無端環状の凹部、あるいは貫通穴で形成すると、肌処理ヘッド６の周囲の全体をヘッド収容部５の周囲壁で覆って、収納時あるいは携行時の肌処理ヘッド６をさらに確実に保護できる。
【００４４】
キャップ５２を肌処理ヘッド６に装着した状態のままで、肌処理ヘッド６をヘッド収容部５に収納できるようにすると、キャップ５２を本体ケース１とともに確実に収納保管して紛失を防止でき、さらにキャップ５２を別途保管する場合に避けられない探す手間を省くことができる。また、肌処理ヘッド６が収納姿勢に切換えられた状態において、肌処理ヘッド６に装着したキャップ５２を、ヘッド収容部５で保護できる。
【００４５】
肌電極４４に接続した給電リード５６を、支持リンク体１７に沿って配置すると、肌処理ヘッド６が収納姿勢と使用姿勢に切換えられるとき、給電リード５６を支持リンク体１７に同行して前後傾動させることができる。従って、肌処理ヘッド６の姿勢が切換わる際に、給電リード５６の屈曲部分に異常な張力が作用するのを解消して、給電リード５６が疲労破壊して断線し、あるいは短絡するのを長期にわたって防止できる。
【００４６】
電源部から導出した給電リード５６を、ヘッド収容部５を囲むケース壁の内部から導出し、さらに中空の支持リンク体１７の内部に沿って肌電極４４に接続すると、給電リード５６の屈曲部分に異常な張力が作用するのを解消しながら、給電リード５６の周囲を支持リンク体１７で覆って保護できる。また、美容器具の外観が各給電リード５６によって損なわれることもない。
【００４７】
肌処理ヘッド６を支持するヘッド支持機構１６が、前後、左右、上下の少なくとも一つの方向へ浮動できるように構成してあると、美容処理を行う場合に肌反力を受けた肌電極４４を浮動方向へ変位させて、肌電極４４の肌面に対する肌当りをソフトで柔軟なものにできるので、優しく美容処理を行うことができる。
【００４８】
肌処理ヘッド６の背面に押出し操作部８９を設け、同操作部８９をヘッド収容部５の後面側から操作して肌処理ヘッド６を収納姿勢から使用姿勢に切換える美容器具によれば、肌処理ヘッド６の支持構造を著しく簡素化して、製造に要するコストを削減できる。また、肌処理ヘッド６を前後方向へ移動操作するだけで、その姿勢を収納姿勢と使用姿勢に切換えることができるので、肌処理ヘッド６の姿勢切換えを簡便化できる。
【００４９】
肌処理ヘッド６の前部に押戻し操作部９０を設け、同操作部９０を操作して肌処理ヘッド６を使用姿勢から収納姿勢に切換える美容器具によれば、押戻し操作部９０をヘッド収容部５へ向かって押し込み操作するだけで、肌処理ヘッド６を確実に収納姿勢に切換えることができる。また、肌電極４４やキャップ装着部５３などの肌処理ヘッド６の前部構造を押戻し操作部９０として利用する場合には、肌処理ヘッド６の構造がいたずらに複雑になるのを避けて、美容器具の製造に要するコストを削減できる。
【００５０】
ヘッド支持機構１６に節度機構を設けて、肌処理ヘッド６を収納姿勢および使用姿勢においてそれぞれ位置保持できるようにすると、ユーザーの明確な意図がない限りは、肌処理ヘッド６が収納姿勢に復帰し、あるいは使用姿勢に切換るのを確実に防止できる。また、肌処理ヘッド６を付勢手段７７で使用姿勢に向かって移動付勢すると、美容処理を行う際に、肌電極４４に押し付け反力が作用して肌処理ヘッド６を後向きに浮動させることができるので、肌電極４４の肌面に対する肌当りをソフトで柔軟なものとして、優しく美容処理を行うことができる。
【００５１】
ヘッド支持機構１６をテレスコピック構造の弾性支持体１０１で構成し、その前端に肌処理ヘッド６を固定する美容器具によれば、処理ヘッド６を前後に移動操作することで、肌処理ヘッド６を使用姿勢と収納姿勢に切換えることができる。詳しくは、収納姿勢において肌処理ヘッド６を本体ケース１の前方へ移動させると、弾性支持体１０１は多段筒状に変形して肌処理ヘッド６を使用姿勢に切換え、その姿勢を保持できる。また、使用姿勢において肌処理ヘッド６を本体ケース１の後方へ移動させると、弾性支持体１０１は多重リング状に変形して肌処理ヘッド６を収納姿勢に切換え、その位置を保持する。従って、リンク構造やレバー構造を変位要素とするヘッド支持機構１６に比べて、ヘッド支持機構１６の構造を著しく簡素化して美容器具の製造に要するコストを削減できる。また、多段筒状に変形した弾性支持体１０１は、肌電極４４を肌面に押し付けて美容処理を行うとき、肌電極４４に押し付け反力が作用して肌処理ヘッド６が後向きに浮動し、あるいは左右、上下に傾動しながら浮動する。従って、肌電極４４の肌面に対する肌当りをソフトで柔軟なものとして、優しく美容処理を行うことができる。
【００５２】
テレスコピック構造の弾性支持体１０１は、弾性支持体１０１の周囲の一部が外力を受けて多重リング状の収納姿勢に変形操作された状態になることがある。こうした場合に、外力が開放されるのと同時に、弾性支持体１０１が多段筒状の使用姿勢に自己復帰できるように段筒壁９８を構成しておくと、外力を受けた弾性支持体１０１が不用意に収納姿勢に切換ってしまうのを防止できる。つまり、ユーザーの明確な意図がない限りは弾性支持体１０１を収納姿勢に戻すことができないので、その一部が多重リング状に変形したとしても、速やかに使用姿勢に復帰させて、肌処理ヘッド６による美容処理を円滑に行える。
【００５３】
弾性支持体１０１の突出端に肌処理ヘッド６用の装着壁１００を設け、給電リード５６が装着壁１００を貫通して肌電極４４に接続してある美容器具において、装着壁１００が給電リード５６のシール体６３を兼ねるようにすると、別途シール構造を設ける場合に比べて、美容器具の製造に要するコストを削減できる。
【００５４】
弾性支持体１０１を使用姿勢に切換えた状態において、肌処理ヘッド６を後傾させるようにすると、肌接触面４４ａを肌面にあてがった状態において、本体ケース１のグリップ部４を肌面から遠ざけることができる。従って、美容処理を行いたい肌面に肌接触面４４ａを接触させて、美容処理を適確かつ簡便に行うことができる。
【００５５】
弾性支持体１０１の下半側の段筒壁９８の前後寸法を、上半側の段筒壁９８の前後寸法より大きく設定した弾性支持体１０１によれば、弾性支持体１０１を多段筒状に突出させて使用姿勢にするだけで、肌処理ヘッド６を後傾姿勢に保持し、肌電極４４の肌当りを好適化できる。
【００５６】
弾性支持体１０１を多重リング状の収納姿勢に変形操作した状態において、弾性支持体１０１の全体を本体ケース１に対して後傾する状態で装着すると、肌処理ヘッド６を収納姿勢および使用姿勢のいずれの姿勢においても後傾姿勢に保持できる。そのため、ユーザーは、弾性支持体１０１を多段筒状に変形させ、あるいは多重リング状に変形させるだけの簡単な操作で、肌処理ヘッド６を収納姿勢と使用姿勢に切換えることができる。
【００５７】
充電スタンド２に設けたケース支持部６７にヘッド収容部５を係合して、不使用時の本体ケース１を充電姿勢に支持し、本体ケース１と充電スタンド２の間に非接触充電装置を設けるようにした。こうした充電スタンド２によれば、不使用時の本体ケース１をケース支持部６７に掛止して非接触充電装置を作動させることにより、本体ケース１の内部に設けた２次電池１３を充電することができる。また、非接触状態で２次電池１３を自動的に充電できるので、２次電池１３を本体ケース１に対して着脱する手間や、充電器にセットする手間を省いて、２次電池１３の充電を手軽に行うことができる。
【図面の簡単な説明】
【００５８】
【図１】本発明の実施例１に係る美容器具の原理構造を示す縦断側面図である。
【図２】実施例１に係る美容器具と充電スタンドを示す側面図である。
【図３】実施例１に係る美容器具の正面図である。
【図４】実施例１に係る美容器具の背面図である。
【図５】実施例１に係るヘッド支持機構の背面図である。
【図６】実施例１に係る節度機構を示す一部破断背面図である。
【図７】実施例１に係る肌処理ヘッドの内部構造を示す縦断側面図である。
【図８】実施例１に係る肌処理ヘッドの動作を示す動作説明図である。
【図９】実施例２に係る美容器具の原理構造を示す縦断側面図である。
【図１０】実施例２に係る美容器具のヘッド支持機構の背面図である。
【図１１】実施例２に係る肌処理ヘッドの動作を示す動作説明図である。
【図１２】実施例３に係るヘッド支持機構を示す縦断側面図である。
【図１３】実施例３に係る操作機構を示す縦断側面図である。
【図１４】実施例４に係るヘッド支持機構を示す縦断側面図である。
【図１５】実施例４に係るバヨネット溝の展開図である。
【図１６】実施例５に係るヘッド支持機構を示す縦断側面図である。
【図１７】実施例５に係る節度構造を示す平面図である。
【図１８】実施例６に係るヘッド支持機構を示す縦断側面図である。
【図１９】実施例６に係る操作機構を示す縦断面図である。
【図２０】実施例７に係るヘッド支持機構を示す縦断側面図である。
【図２１】実施例８に係るヘッド支持機構を示す縦断側面図である。
【図２２】実施例９に係るヘッド支持機構を示す縦断側面図である。
【図２３】実施例１０に係るヘッド支持機構を示す縦断側面図である。
【図２４】実施例１１に係る節度構造を示す一部破断背面図である。
【図２５】実施例１２に係る節度機構を示す一部破断背面図である。
【発明を実施するための形態】
【００５９】
（実施例１）  図１ないし図８は、本発明に係る美容器具の実施例１を示す。本発明において、前後、左右、上下とは図１および図３に示す交差矢印と、交差矢印の近傍に表記した前後、左右、上下の表示に従うものとする。図２において、符号１は美容器具の本体ケース、２は充電スタンドである。図３に示すように本体ケース１は、扁平で上下に長い楕円状のケース体からなり、上下中途部のくびれ部３を含む本体ケース１の下半側にグリップ部４を有し、本体ケース１の上端とグリップ部４の間にヘッド収容部５を設けて、その内部に肌処理ヘッド６が配置してある。ヘッド収容部５は、下半側が半円形で上半側が台形ドーム形に形成された前後貫通状の空間からなり、無端環状の周囲壁のうち下半側の内面に沿って肌処理ヘッド６が配置してある。この実施例における本体ケース１の上下高さは１４６ｍｍ、左右幅は５２ｍｍ、前後厚みは１２ｍｍとした。
【００６０】
グリップ部４の前面には、電源ボタン７と、運転モードを切換えるモードボタン８と、電圧強度を切換える切換えボタン９と、運転モードの違いに応じて点灯される３個のモード表示灯（ＬＥＤ）１０などが配置してある。また、グリップ部４の左右両側にはグリップ電極１１が露出させてある。図７に示すように、本体ケース１は、前ケース１ａと後ケース１ｂを蓋合わせ状に接合して中空ケースとして構成してあり、その内部に制御基板１２と電源部を構成する２次電池（電池パック）１３などが配置してある。
【００６１】
肌処理ヘッド６を本体ケース１に対して出没自在に支持するために、本体ケース１と肌処理ヘッド６の間にヘッド支持機構１６を設けている。ヘッド支持機構１６は、本体ケース１で前後傾動可能に支持した支持リンク体１７と、同リンク体１７を傾動操作して肌処理ヘッド６を収納姿勢と使用姿勢に切換える操作機構１８を備えている。詳しくは、図５および図７に示すように、支持リンク体１７は中空パネル状に形成されて、その上部の左右２個所が、ヘッド収容部５の内面上部に設けたブラケット１９にリンクピン２０で連結してある。また、支持リンク体１７の下部の左右２個所が、肌処理ヘッド６の後面上部に設けたブラケット２１にリンクピン２２で連結されている。このように、支持リンク体１７と肌処理ヘッド６をリンクピン２２で連結することにより、支持リンク体１７と肌処理ヘッド６は相対傾動できる。
【００６２】
図１および図４に示すように、操作機構１８は、本体ケース１の後面に沿って上下スライドする縦に長い長方形状の第１操作具２５と、第１操作具２５のスライド動作を受けて肌処理ヘッド６を収納姿勢と使用姿勢に前後傾動させる第２操作具２６を備えている。図４に示すように、第１操作具２５はグリップ部４の背面に配置されて、本体ケース１に設けたガイド溝（ガイド構造）２７で上下スライド自在に案内支持されており、ガイド溝２７に臨む第１操作具２５の外面に、第１操作具２５をスライド操作するボタン状の操作ノブ２８が設けてある。第２操作具２６は、上部に２個の連結腕２９を備えたＹ字形の板状体からなり、その下端が第１操作具２５の上端にピン３０で連結され、一対の連結腕２９の上端が肌処理ヘッド６の後面下部に設けたブラケット３１にリンクピン３２で連結されている。使用姿勢において肌処理ヘッド６を後傾させるために、第２操作具２６の長さは、支持リンク体１７の長さに比べて大きく設定してある。
【００６３】
肌処理ヘッド６がヘッド収容部５内に収容される収納姿勢においては、肌処理ヘッド６の全体がヘッド収容部５の厚み範囲内に収まっている（図８（ａ）参照）。また、操作ノブ２８はガイド溝２７の下端に位置しており、第１操作具２５、第２操作具２６、および支持リンク体１７は、いずれも垂直姿勢になっている。このとき、肌処理ヘッド６の後端面が支持リンク体１７および第２操作具２６の直線壁に接当しているので、肌処理ヘッド６が後側へ移動することはなく、前側への移動のみが可能な状態になっている。
【００６４】
上記の状態から操作ノブ２８をガイド溝２７に沿って押し上げて、第２操作具２６を突き出し操作すると、肌処理ヘッド６の下半側が徐々に前側へ押し出され、肌処理ヘッド６の移動に追随して支持リンク体１７が前向きに傾動する。そして、操作ノブ２８をガイド溝２７の上端まで押し上げた状態では、第２操作具２６の全体がヘッド収容部５内へ突き出されて前傾し、逆に支持リンク体１７は後傾して、肌処理ヘッド６を後傾する使用姿勢に保持している。このとき、支持リンク体１７の傾動先端と、第２操作具２６の傾動先端に設けた受座１７ａ・２６ａが肌処理ヘッド６の後端面に面接触状に接当して、肌処理ヘッド６が肌反力を受けてぐら付くのを防いでいる（図８（ｂ）参照）。なお、第２操作具２６の出入りを円滑化するために、ヘッド収容部５の下面中央には逃げ凹部３３が形成してある。
【００６５】
肌処理ヘッド６を収納姿勢および使用姿勢においてそれぞれ位置保持するために、操作機構１８に節度機構を設けている。図６に示すように節度機構は、第１操作具２５の左右両側に張出した弾性変形可能なクリック腕３６と、クリック腕３６のスライド軌跡に臨んで後ケース１ｂの内面に設けた一対のクリックリブ（クリック突起）３７を備えている。クリック腕３６は逆Ｌ字状に形成されており、その下端にクリックリブ３７の対向面に沿って摺動する爪片３８が設けてある。クリックリブ３７の対向面には山形の摺動面３９が形成してあり、摺動面３９の頂部が丸められてデッドポイント４０になっている。操作ノブ２８がガイド溝２７の下端に位置している状態（収納姿勢）では、想像線で示すように爪片３８がデッドポイント４０より下側の傾斜面に接当しており、操作ノブ２８がガイド溝２７の上端に位置している状態（使用姿勢）では、実線で示すように爪片３８がデッドポイント４０より上側の傾斜面の上部に接当している。クリック腕３６は常に弾性変形しており、デッドポイント４０を乗り越える場合に最も大きな弾性変形が発生する。
【００６６】
本体ケース１とヘッド支持機構１６の間に設けた節度機構は、肌処理ヘッド６を使用姿勢に向かって移動付勢する付勢手段７７を兼ねている。肌処理ヘッド６が使用姿勢に切換えられた状態においては、爪片３８がデッドポイント４０より上側の傾斜面の上部に接当している。この状態で肌処理ヘッド６が肌面に押し付けられると、第２操作具２６および第１操作具２５に肌反力が作用するため、クリック腕３６は第１操作具２５に同行して下降移動する。これに伴い、一対の爪片３８はＶ字状に傾斜している左右の摺動面３９に沿ってデッドポイント４０側へ向かって摺動するので、クリック腕３６に作用する弾性変形力が大きくなり肌反力と均衡した状態で、第１操作具２５の下降が停止する。実際には、肌反力は一定ではなく連続して変化するため、第１操作具２５は肌反力の変化に応じて上下動し、肌反力が作用しなくなると、爪片３８がデッドポイント４０より上側の傾斜面の上部に復帰するまで第１操作具２５が上昇して、肌処理ヘッド６を使用姿勢に保持する。つまり、節度機構のクリック腕３６とクリックリブ３７は、肌処理ヘッド６を使用姿勢に向かって移動付勢する付勢手段７７と同じ機能を発揮する。因みに、肌処理ヘッド６が肌面に必要以上に強く押し付けられる場合には、爪片３８がデッドポイント４０を乗り越えて下降することがある。その場合には、肌処理ヘッド６が収納姿勢に切換り、パチンと叩打音が生じるので、肌処理ヘッド６を押し付けすぎていることをユーザーに認識させることができる。
【００６７】
肌処理ヘッド６の詳細構造を図７に基づき説明する。肌処理ヘッド６はリング状の電極ホルダー４３を基体にして、その内部に肌電極４４とヒーターホルダー４５を組み付け、肌電極４４とヒーターホルダー４５の間に、ゴムリング４６とリング状のヒーター４７を配置している。また、ヒーターホルダー４５の内面に電極端子４８を設け、この端子４８と肌電極４４を導通ばね４９で電気的に接続している。肌電極４４の内端周縁の座部５０は、ヒーターホルダー４５で押し付けられてＯリング５１に密着している。図１に示すように、ヒーターホルダー４５の外周面には、キャップ５２を装着するためのキャップ装着部５３が張り出してあり、綿マットＭを肌電極４４にあてがった状態でキャップ５２をキャップ装着部５３に圧嵌装着することにより、綿マットＭを肌電極４４に固定保持できる。肌電極４４はチタン板材を素材とする丸キャップ状の成形品からなり、肌面に電流を供給し、あるいはヒーター４７で加熱されて肌面に温熱刺激を付与する。
【００６８】
制御基板１２には電流を供給する電源部（図示していない）が配置されており、肌電極４４およびグリップ電極１１とヒーター４７が、電源部に対して給電リード５６〜５９を介して接続してある。これらの給電リードのうち、肌電極４４用の給電リード５６と、ヒーター４７用の給電リード５８・５９の３者は、図５および図７に示すように、ヘッド収容部５を囲むケース壁の内部から導出されたのち、中空の支持リンク体１７の内部に沿って配線され、さらにヒーターホルダー４５の内面に引き込まれて、電極端子４８、およびヒーター端子に接続してある。また、電源部から導出したグリップ電極１１用の給電リード５７は、本体ケース１の内面においてグリップ電極１１に接続してある。防水のために、ヘッド収容部５を囲むケース壁の導出口６０と、ヒーターホルダー４５の導入口６１には、それぞれシールゴム６２・６３が装着されて、給電リード５６・５８・５９をシールしている。
【００６９】
上記のように、ヘッド収容部５を囲むケース壁から導出した給電リード５６・５８・５９を、中空の支持リンク体１７の内部に沿って配線すると、肌処理ヘッド６が収納姿勢と使用姿勢の間で切換えられる場合に、各給電リード５６・５８・５９に張力が作用するのを防止できる。従って、各給電リード５６・５８・５９が疲労破壊して断線し、あるいは短絡するのを防止できる。また、各給電リード５６・５８・５９を中空の支持リンク体１７で覆って保護できるので、美容器具の外観が各給電リード５６・５８・５９によって損なわれることもない。
【００７０】
図２において充電スタンド２は、不使用状態の美容器具を後傾姿勢で支持するスタンド本体６６を備えており、本体ケース１と充電スタンド２の間に設けた非接触充電装置で、本体ケース１内の２次電池１３を充電できる。スタンド本体６６の前面の上部には、左右一対の丸軸状のケース支持部６７が設けてあり、ヘッド収容部５の上部内面をケース支持部６７に掛止することより、不使用時の本体ケース１を充電姿勢に支持することができる。非接触充電装置は、スタンド本体６６の内部に設けた充電装置６８と、本体ケース１の内部に設けた受電装置６９で構成してある。充電装置６８は、商用電源の電流を高周波電流に変換する発振回路と、高周波電流を受けて誘導磁界を発生する共振回路などを備えており、共振回路の１次コイルから誘導磁界を発振する。受電装置６９は、２次コイルを備えた共振回路と、整流回路などを備えており、１次コイルと２次コイルの間の電磁誘導作用で、充電装置６８から受電装置６９へ充電電力を伝送して２次電池１３を充電できる。スタンド本体６６には電源スイッチ（図示していない）が設けてあり、同スイッチをオフ操作すると充電装置６８の作動を停止できる。
【００７１】
美容器具を使用するときは、肌処理ヘッド６を使用姿勢に切換えてヘッド収容部５の前側へ突出させ、電源ボタン７をオン操作したのち、モードボタン８を押込み操作して第１から第３の運転モードのいずれかを選択する。制御基板１２に実装された制御回路は、各運転モードに対応して各機器の作動状態を制御する。また、必要に応じて、微弱なパルス電流をグリップ電極１１および肌電極４４に出力し、あるいはその極性を切換える。パルス電流を両電極１１・４４に供給する状態では、切換えボタン９を押すごとに電圧強度を切換えて、電流の刺激度合を調整することができる。美容器具の使用時には、必要に応じて化粧水などの美容用液が含浸された綿マットＭを肌電極４４の外面にあてがって、その周囲をキャップ装着部５３に圧嵌装着されるキャップ５２で固定した状態で使用する。
【００７２】
第１運転モードでは、美容用液が含浸された綿マットＭを肌電極４４に装着して、顔肌のしわ、ひだ、毛穴などに入込んでいる微細な汚れを落とすイオン導出処理を行う。このとき、ヒーター４７が駆動されて肌電極４４を加熱し、肌電極４４にプラス極性のパルス電流が供給される。第１運転モードを開始してから所定時間が経過すると、パルス電流の供給およびヒーター４７の駆動が停止されて第１運転モードを終了する。第２運転モードでは、第１運転モードと同様に、化粧水が含浸された綿マットＭを肌電極４４に装着して、イオン導入処理を行う。このとき、ヒーター４７が駆動されて肌電極４４を加熱し、肌電極４４にマイナス極性のパルス電流が供給される。第２運転モードを開始してから所定時間が経過すると、パルス電流の供給およびヒーター４７の駆動が停止されて第２運転モードを終了する。第２運転モードでは、化粧水が含浸された綿マットＭを使用せずに、粘性の高いジェル状の化粧水や、乳液などの美容用液を肌電極４４に塗付して使用することもある。
【００７３】
第３運転モードでは、化粧水が含浸された綿マットＭを肌電極４４に装着し、肌電極４４にプラス極性のパルス電流とマイナス極性のパルス電流を交互に供給して美容処理を行う。また、顔肌をシートマスクで覆った状態、あるいは乳液を顔肌に塗付した状態で美容処理を行う。第３運転モードを開始してから所定時間が経過すると、パルス電流の供給が停止されて第３運転モードを終了する。
【００７４】
先に説明したように、美容器具を使用するときは、操作ノブ２８をガイド溝２７に沿って押し上げ操作し、肌処理ヘッド６を使用姿勢に切換えて、肌電極４４の肌接触面４４ａを図８（ｂ）に示すように後傾させる。この状態の肌処理ヘッド６のヘッド中心軸線Ｐ１と本体ケース１のケース中心軸線Ｐが挟む角度θ２は、収納姿勢における肌処理ヘッド６のヘッド中心軸線Ｐ１と本体ケース１のケース中心軸線Ｐが挟む角度θ１に比べて大きく設定してあり、この実施例では後者角度θ１が９０度であるとき、前者角度θ２を１１０度とした。このように、使用姿勢における肌処理ヘッド６をヘッド収容部５の前方へ突出させ、さらに後傾させると、肌接触面４４ａを通る仮想平面Ｑを本体ケース１の上部外郭線より前側に位置させることができるので、美容処理時にヘッド収容部５の周囲壁や本体ケース１が肌面に接触するのを防止して美容器具の使い勝手を向上できる。
【００７５】
また、美容処理が終了した後は、操作ノブ２８をガイド溝２７に沿って押し下げ操作し、肌処理ヘッド６を収納姿勢に切換えることにより、肌処理ヘッド６の全体をヘッド収容部５の内部に収容し、本体ケース１の前後厚み範囲内に収容できる。従って、収納時あるいは携行時に美容器具が占める空間を小さくして、嵩張ることなく収納し、あるいは携行しやすい美容器具を提供できる。また、肌処理ヘッド６を収納姿勢にした状態では、肌処理ヘッド６の全体が本体ケース１の外郭線内に収まるので、外観をシンプルですっきりとしたものにしてデザイン性を向上できる。さらに、使用姿勢においては、肌処理ヘッド６の全体を本体ケース１の外面に突出させるので、肌処理ヘッド６による美容処理を適確に、しかも簡便に行って美容器具の使い勝手を向上できる。加えて、肌処理ヘッド６を収納姿勢に切換えた状態の美容器具を携行する場合には、シェル構造の眼鏡ケース状の携行ケース６８（図８（ａ）参照）に美容器具を収納することにより、肌電極４４および肌接触面４４ａを保護した状態で携行できる。
【００７６】
ヘッド収容部５の内面は、肌処理ヘッド６を余裕のある状態で収納できる大きさに形成してある。そのため、図３および図８（ａ）に想像線で示すように、綿マットＭを装着するためのキャップ５２を、肌処理ヘッド６のキャップ装着部５３に装着した状態のままでヘッド収容部５に収納することができる。この状態のキャップ５２は、肌処理ヘッド６と共に本体ケース１の前後厚みの範囲内に収まっている。従って、キャップ５２を本体ケース１とともに確実に収納保管して紛失を防止でき、さらにキャップ５２を別途保管する場合に避けられない探す手間を省ける。また、肌処理ヘッド６が収納姿勢に切換えられた状態において、肌処理ヘッド６に装着したキャップ５２を、ヘッド収容部５で保護できる。
【００７７】
（実施例２）  図９ないし図１１は本発明に係る美容器具の実施例２を示す。そこでは、実施例１と同様に肌処理ヘッド６をヘッド支持機構１６で支持して、肌処理ヘッド６を収納姿勢と使用姿勢に切換え操作するが、支持リンク体１７および操作機構１８を変更する点が実施例１と異なる。詳しくは、支持リンク体１７と第２操作具２６を屈曲変形可能な１枚の弾性シート材で形成して、ヘッド支持機構１６の構造の簡素化と、美容器具の軽量化を実現した。支持リンク体１７はＶ字状に形成してあり、Ｖ字腕の上端に断面がコ字状の装着部７２を設け、この装着部７２をヘッド収容部５の周囲壁を構成する前ケース１ａと後ケース１ｂの接合部の間に挟持固定した。また、連続する支持リンク体１７と第２操作具２６の隣接部分を、ヒーターホルダー４５の後面に締結したハット形の固定具７３で固定し、第２操作具２６の下端を第１操作具２５の上端に挟持固定した。符号７４は固定具７３を締結するビスである。支持リンク体１７および第２操作具２６の形成素材としては、ポリプロピレンやポリアミド樹脂を適用でき、その厚みは０．３〜０．５ｍｍが好適である。
【００７８】
実施例２の美容器具においては、給電リード５６・５８・５９の配線形態も一部変更した。図１０に示すように、肌電極４４用の給電リード５６を、ヘッド収容部５を囲む左右のケース壁の一方に沿って配線し、ヘッド収容部５の上部から導出した給電リード５６を、一方のＶ字腕の前面に沿って配置し、ヒーターホルダー４５の内面へ引き込むようにした。また、ヒーター４７用の給電リード５８・５９を、ヘッド収容部５を囲む左右のケース壁の残る一方に沿って配線し、ヘッド収容部５の上部から導出した給電リード５８・５９を、他方のＶ字腕の前面に沿って配置し、ヒーターホルダー４５の内面へ引き込むようにした。図示していないが、各給電リード５６・５８・５９は、Ｖ字腕に溶着した保護シートで覆われている。他は実施例１と同じであるので、同じ部材に同じ符号を付してその説明を省略する。実施例２以下の各実施例においても同じとする。
【００７９】
肌処理ヘッド６を収納姿勢にした状態では、図９に示すように肌処理ヘッド６の全体がヘッド収容部５の前後厚み範囲内に収まっている。この状態から操作ノブ２８を押し上げ操作すると、固定具７３と装着部７２の間の支持リンク体１７のＶ字腕部分に屈曲力が作用し、同時に、固定具７３と第１操作具２５の間の第２操作具２６の中途部に屈曲力が作用する。そのため、支持リンク体１７のＶ字腕部分および第２操作具２６は、図１１に示すように前突湾曲状に屈曲変形し、使用姿勢においては、肌処理ヘッド６をヘッド収容部５の前方へ突き出し操作して後傾させる。この使用姿勢は、支持リンク体１７および第２操作具２６に作用する屈曲反力どうしが拮抗し合って保持されている。そのため、肌電極４４を肌面に押し付けて美容処理を行うと、肌電極４４に押し付け反力が作用して屈曲反力の均衡が破れ、肌処理ヘッド６は、肌反力を受けた側へ前後、左右、あるいは上下方向へ浮動する。従って、肌電極４４の肌面に対する肌当りをソフトで柔軟なものとして、優しく美容処理を行うことができる。
【００８０】
上記のように、支持リンク体１７と第２操作具２６を屈曲変形可能な１枚の弾性シート材で形成すると、支持リンク体１７および第２操作具２６の構造を簡略化でき、しかもブラケット１９・２１・３１・やリンクピン２０・２２・３２、ピン３０などの連結部品や連結構造を省略できるので、ヘッド支持機構１６の構造を簡素化し低コスト化できるうえ、美容器具の軽量化にも寄与できる。
【００８１】
（実施例３）  図１２および図１３は本発明に係る美容器具の実施例３を示す。そこでは、ヘッド収容部５を前面のみが開口する凹み穴で形成した。また、肌処理ヘッド６の背面に支持リンク体１７を固定し、その上端を前ケース１ａの内面に設けたブラケット１９にリンクピン２０で前後傾動可能に連結した。さらに、支持リンク体１７と後ケース１ｂの間に肌処理ヘッド６の姿勢を切換える操作機構１８を設け、支持リンク体１７とヘッド収容部５の内奥の間に、肌処理ヘッド６を使用姿勢に向かって押し出し付勢する付勢ばね（付勢手段）７７を配置した。操作機構１８は、後ケース１ｂで上下スライド自在に案内支持したスライドノブ７８と、スライドノブ７８の前端の操作ピン７９と、支持リンク体１７の上部背面に突設したカム腕８０、およびカム腕８０に形成した前後方向のカム溝８１などで構成する。
【００８２】
肌処理ヘッド６が収納姿勢になっているとき、支持リンク体１７は肌処理ヘッド６と共に前傾姿勢になっている。また、スライドノブ７８はガイド溝８２の上端に位置しており、操作ピン７９はカム溝８１の前端に接当している。この状態から、スライドノブ７８を押し下げ操作すると、カム溝８１に時計回転方向のモーメントが作用し、さらに肌処理ヘッド６に付勢ばね７７の付勢力が作用するため、肌処理ヘッド６と支持リンク体１７はヘッド収容部５の前方へ押し出されて使用姿勢に切換り、肌接触面４４ａが後傾する。実施例３における節度機構は、スライドノブ７８に突設した上向きのクリック腕３６と、クリック腕３６のスライド軌跡に臨んで後ケース１ｂの内面に設けたクリック突起３７で構成し、クリック腕３６とクリック突起３７が係合して、肌処理ヘッド６を付勢ばね７７の付勢力に抗して収納姿勢に姿勢保持できるようにした。図１３において、符号８３は支持リンク体１７に設けたストッパー片であり、肌処理ヘッド６が収納姿勢に切換った状態において、後ケース１ｂの水平の内壁に接当して、支持リンク体１７が反時計回転方向へ回転するのを規制する。
【００８３】
上記の美容器具では、カム構造と付勢ばね７７の付勢力で、使用姿勢に切換った肌処理ヘッド６の姿勢を保持している。そのため、肌電極４４を肌面に押し付けて美容処理を行うと、肌電極４４に押し付け反力が作用して肌処理ヘッド６が後向きに浮動する。従って、肌電極４４の肌面に対する肌当りをソフトで柔軟なものとして、優しく美容処理を行うことができるうえ、肌電極４４が不必要にぐら付くのを防止できる。
【００８４】
（実施例４）  図１４および図１５は本発明に係る美容器具の実施例４を示す。そこでは、ヘッド収容部５を、肌処理ヘッド６の肌電極４４を収容する前収容部５ａと、電極ホルダー４３を収容する後収容部５ｂで前面のみが開口する凹み穴で形成し、ヘッド収容部５の内奥と肌処理ヘッド６の後面の間に配置した付勢ばね７７で、肌処理ヘッド６を使用姿勢に向かって押し出し付勢した。また、電極ホルダー４３の対向周面に設けた係合ピン（係合体）８５と、ヘッド収容部５の内面に設けたバヨネット溝８６で操作機構１８を構成して、肌処理ヘッド６を収納姿勢と使用姿勢に位置保持できるようにした。この実施例における操作機構１８は、肌処理ヘッド６を支持するヘッド支持機構１６を兼ねている。バヨネット溝８６は、前後方向の溝８６ａと、周方向の溝８６ｂと、周方向の溝８６ｂの溝端に設けた凹部８６ｃを備えている。
【００８５】
図１４に示すように、肌処理ヘッド６を使用姿勢に切換えた状態では、係合ピン８５は前後方向の溝８６ａの前端に位置している。この状態の肌処理ヘッド６のキャップ装着部５３を片手で保持して、付勢ばね７７の付勢力に抗しながら肌処理ヘッド６をヘッド収容部５の内奥へ押し込み、さらに、肌処理ヘッド６を回動操作して係合ピン８５を周方向の溝８６ｂに係合させ、凹部８６ｃに落ち込み係合することにより、肌処理ヘッド６を収納姿勢に保持することができる。肌処理ヘッド６を使用姿勢に切換える場合には、肌処理ヘッド６を逆の手順で操作するとよい。使用姿勢における肌処理ヘッド６は、付勢ばね７７の付勢力で位置保持されている。そのため、肌電極４４を肌面に押し付けて美容処理を行うと、肌電極４４に押し付け反力が作用して肌処理ヘッド６が後向きに浮動する。従って、実施例４の美容器具においても、実施例３の美容器具と同様に、肌電極４４の肌面に対する肌当りをソフトで柔軟なものとして、優しく美容処理を行うことができる。
【００８６】
（実施例５）  図１６および図１７は本発明に係る美容器具の実施例５を示す。そこでは、ヘッド収容部５を前収容部５ａと後収容部５ｂで前後面が開口する穴で形成し、ヘッド収容部５の内奥の上下と肌処理ヘッド６の後面の上下の間に配置した付勢ばね７７で、肌処理ヘッド６を使用姿勢に向かって押し出し付勢した。また、電極ホルダー４３の対向周面に設けた係合ピン（係合体）８５と、ヘッド収容部５の内面に設けた前後方向のガイド溝８７で操作機構１８を構成して、肌処理ヘッド６を収納姿勢と使用姿勢に位置保持できるようにした。さらに、ガイド溝８７の後端寄りに係合ピン８５を係合捕捉する突起８８を設けて、収納姿勢に切換った肌処理ヘッド６を付勢ばね７７の付勢力に抗して位置保持できるようにした。
【００８７】
肌処理ヘッド６を使用姿勢に切換える場合には、電極ホルダー４３の後面に突設した押出し操作部８９を前向きに押し込み操作すると、係合ピン８５と突起８８の係合が解除されて肌処理ヘッド６を使用姿勢に切換えることができる。また、肌処理ヘッド６を収納姿勢に戻す場合には、先の押出し操作部８９をつまんで肌処理ヘッド６を付勢ばね７７の付勢力に抗して引き込み操作して、係合ピン８５を突起８８に係合させるだけでよい。あるいは、肌電極４４を付勢ばね７７の付勢力に抗して押し込み操作して、係合ピン８５を突起８８に係合させてもよく、この場合の肌電極４４は押戻し操作部９０として機能することになる。この実施例における操作機構１８は、肌処理ヘッド６を支持するヘッド支持機構１６を兼ねている。
【００８８】
使用姿勢における肌処理ヘッド６は、付勢ばね７７の付勢力で位置保持されている。そのため、肌電極４４を肌面に押し付けて美容処理を行うと、肌電極４４に押し付け反力が作用して肌処理ヘッド６が後向きに浮動する。従って、実施例５の美容器具においても、実施例３・４の美容器具と同様に、肌電極４４の肌面に対する肌当りをソフトで柔軟なものとして、優しく美容処理を行うことができる。
【００８９】
（実施例６）  図１８および図１９は本発明に係る美容器具の実施例６を示す。そこでは、ヘッド収容部５を前収容部５ａと後収容部５ｂで前後面が開口する穴で形成し、電極ホルダー４３の周面に設けたカム溝９１と、本体ケース１で部分回動可能に支持した操作ピン９２で操作機構１８を構成した。カム溝９１は、電極ホルダー４３の周面に沿って斜めに形成してあり、操作ピン９２をガイド溝９３に沿って部分回動させることにより、収納姿勢と使用姿勢に切換えることができる。電極ホルダー４３の周面には回止めピン９４が設けてあり、このピン９４は後収容部５ｂの内面に設けた前後方向のスライド溝９５で、回動不能に受け止められている。そのため、操作ピン９２をガイド溝９３に沿って部分回動させるとき、肌処理ヘッド６が操作ピン９２に同行して回動することはない。
【００９０】
（実施例７）  図２０は本発明に係る美容器具の実施例７を示す。そこでは、本体ケース１の上部に、収納姿勢における肌処理ヘッド６を収納するヘッド収容部５を貫通形成し、その後面を操作ゴム膜９７で覆った。ヘッド支持機構１６は、テレスコピック構造の弾性支持体１０１で構成した。弾性支持体１０１は、直径が漸減する５個の段筒壁９８と、後端側の段筒壁９８に設けた断面がＴ字状の装着座９９と、前端の平坦な装着壁１００を一体に備えたゴム成形品からなる。装着壁１００を肌処理ヘッド６とヘッドベース１０２で挟持し、これら両者６・１０２をビス７４で締結して、肌処理ヘッド６を弾性支持体１０１と一体化し、ヘッド収容部５の周囲壁に装着座９９を固定することにより、肌処理ヘッド６を、弾性支持体１０１を介して本体ケース１で支持した。ゴム成形品はシリコンゴムを含むこととする。ヘッドベース１０２の後面は押出し操作部８９を兼ねており、肌処理ヘッド６の肌電極４４は押戻し操作部９０を兼ねている。
【００９１】
弾性支持体１０１は、肌処理ヘッド６がヘッド収容部５に収納される多重リング状の収納姿勢（図２０（ａ）の状態）と、肌処理ヘッド６が本体ケース１の前方へ突出する多段筒状の使用姿勢（図２０（ｂ）の状態）に弾性変形可能であり、各姿勢において自己の弾性で肌処理ヘッド６を位置保持できる。図２０において符号５６は、肌電極４４に電流を供給する給電リードであり、装着壁１００にシール体６３を一体に設けて、装着壁１００がシール体６３を兼ねるようにした。図示していないが、給電リード５８・５９も同様にしてヒーターホルダー４５の内部に引き込んである。
【００９２】
収納姿勢にした弾性支持体１０１を使用姿勢に切換える場合には、操作ゴム膜９７を前向きに押し込んで、ヘッドベース１０２を弾性支持体１０１の弾性に抗しながら前方へ押し出し操作して、段筒壁９８の全体を多段筒状に変形させる。この使用姿勢は、５個の段筒壁９８が伸張姿勢を保持することで位置保持されている。そのため、肌電極４４を肌面に押し付けて美容処理を行うと、肌電極４４に押し付け反力が作用して肌処理ヘッド６が後向きに浮動し、あるいは左右、上下に傾動しながら浮動する。従って、実施例７の美容器具においても、先に説明した美容器具と同様に、肌電極４４の肌面に対する肌当りをソフトで柔軟なものとして、優しく美容処理を行うことができる。使用姿勢にした弾性支持体１０１を収納姿勢に戻す場合には、肌処理ヘッド６あるいは肌電極４４を押し込み操作して、段筒壁９８の全体を多重リング状に変形させる。
【００９３】
使用姿勢にした弾性支持体１０１を収納姿勢に戻す場合に、操作力が肌処理ヘッド６や肌電極４４の周囲の１個所に集中して、弾性支持体１０１の周囲の一部のみが操作力（外力）を受けて多重リング状の収納姿勢に変形操作されることがある。こうした場合には、
多重リング状に変形した部分の段筒壁９８の変形応力と、多段筒状になっている段筒壁９８の変形抵抗が拮抗するが、後者の変形抵抗の合計値のほうが大きいため、操作力が開放されるのと同時に、弾性支持体１０１は多段筒状の使用姿勢に自己復帰して、使用姿勢を保持する。こうした弾性支持体１０１の弾性変形特性は、奇数段の段筒壁９８の厚みや変形応力と、偶数段の段筒壁９８の厚みや変形応力を異ならせておくことにより、適宜設定することができる。
【００９４】
（実施例８）  図２１は本発明に係る美容器具の実施例８を示す。そこでは、基本的に弾性支持体１０１を実施例７と同様にテレスコピック構造のゴム成形品で構成する。しかし、弾性支持体１０１の下半側の段筒壁９８の前後寸法を、上半側の段筒壁９８の前後寸法より大きく設定して、弾性支持体１０１を多段筒状の使用姿勢にした状態において、肌処理ヘッド６を後傾させる点が、実施例７の弾性支持体１０１と異なっている。このように、肌処理ヘッド６を使用姿勢において後傾させると、肌接触面４４ａを肌面にあてがった状態において、本体ケース１のグリップ部４を肌面から遠ざけることができる。従って、美容処理を行いたい肌面に肌接触面４４ａを接触させて、美容処理を適確かつ簡便に行うことができる。実施例８においては、ヘッドベース１０２の後面が押出し操作部８９を兼ねており、肌処理ヘッド６の肌電極４４が押戻し操作部９０を兼ねている。
【００９５】
（実施例９）  図２２は本発明に係る美容器具の実施例９を示す。そこでは、基本的に弾性支持体１０１を実施例７と同様に、前後長さが同じ段筒壁９８でテレスコピック構造のゴム成形品として構成するが、弾性支持体１０１を使用姿勢にした状態において、肌処理ヘッド６を弾性支持体１０１で後傾姿勢に保持できるようにした。具体的には、弾性支持体１０１を多重リング状の収納姿勢に変形操作した状態において、弾性支持体１０１の全体が後傾するように、装着座９９の固定平面を後傾させた。実施例９においては、ヘッドベース１０２の後面が押出し操作部８９を兼ねており、肌処理ヘッド６の肌電極４４が押戻し操作部９０を兼ねている。
【００９６】
（実施例１０）  図２３は本発明に係る美容器具の実施例１０を示す。そこでは、基本的に弾性支持体１０１を実施例７と同様にテレスコピック構造のゴム成形品で構成する。しかし、ヘッド収容部５の周囲壁を本体ケース１のグリップ部４に対して後傾させて、収納時および使用時の肌処理ヘッド６を弾性支持体１０１で後傾姿勢に保持できるようにした。実施例８〜１０で説明した弾性支持体１０１は、使用姿勢において５個の段筒壁９８が伸張姿勢を保持して姿勢を保持している。そのため、肌電極４４を肌面に押し付けて美容処理を行うと、肌電極４４に押し付け反力が作用して肌処理ヘッド６が後向きに浮動し、あるいは左右、上下に傾動しながら浮動する。従って、実施例７の美容器具と同様に、肌電極４４の肌面に対する肌当りをソフトで柔軟なものとして、優しく美容処理を行うことができる。実施例１０においては、ヘッドベース１０２の後面が押出し操作部８９を兼ねており、肌処理ヘッド６の肌電極４４が押戻し操作部９０を兼ねている。
【００９７】
（実施例１１）  図２４は節度機構の別の実施例を示している。そこでは、実施例１と同様に、第１操作具２５の左右両側に張出した弾性変形可能なクリック腕３６と、クリック腕３６のスライド軌跡に臨んで設けた一対のクリックリブ（クリック突起）３７で節度機構を構成するが、クリックリブ３７の上下に２個所のデッドポイント４０ａ・４０ｂを設ける点が実施例１と異なる。詳しくは、クリックリブ３７の上下に大小２個の山形の摺動面３９ａ・３９ｂを形成し、各摺動面３９ａ・３９ｂの間に中間部４１を設けて、中間部４１を通過する爪片３８に摩擦抵抗が作用するのを避けるようにした。下側の摺動面３９ｂの出っ張り量は、上側の摺動面３９ａの出っ張り量より小さく設定してあり、そのため、操作ノブ２８を収納姿勢から押し上げ操作するとき、爪片３８はより小さな力でデッドポイント４０ｂを乗り越えることができる。また、爪片３８が中間部４１を通過して上側の摺動面３９ａに接触し、クリック腕３６を弾性変形させながらデッドポイント４０ａを乗り越えたのちは、摺動面３９ａの上部に密着して使用姿勢を維持しており、このとき、操作ノブ２８がガイド溝２７の上端に位置している。中間部４１を通過する爪片３８は、原則、中間部４１と接触していないが、僅かに接触していてもよい。
【００９８】
上記のように、クリックリブ３７の上下に出っ張り量の異なる摺動面３９ａ・３９ｂを設けて、操作ノブ２８のスライド途中の摩擦抵抗を大小に変化させると、第１操作具２５が使用姿勢に切換る直前に、爪片３８によるデッドポイント４０ａの乗り越え抵抗を最大にできる。また、爪片３８が上側の摺動面３９ａに接触するまでのスライド移動の勢いを利用して、クリック腕３６を弾性変形させながらデッドポイント４０ａを乗り越えることができるので、第１操作具２５の切換えを軽快かつ明確に行える。さらに、上下のデッドポイント４０ａ・４０ｂの間に中間部４１を設けて、クリック腕３６の上下ストロークを大きくするので、肌処理ヘッド６の前方への突出量を大きくして美容器具の使い勝手を向上できる。この実施例における節度機構は、実施例１の節度機構と同様に肌処理ヘッド６を使用姿勢に向かって移動付勢する付勢手段７７を兼ねている。
【００９９】
（実施例１２）  図２５は節度機構の別の実施例を示している。そこでは、実施例１とは逆に、クリックリブ（クリック突起）３７の対向面に弾性変形可能な山形のクリック腕１０５を設け、第１操作具２５の左右にクリック腕１０５を弾性変形させる爪片３８を設けるようにした。このように、弾性変形するクリック腕１０５は、本体ケース１の側に設けてあってもよい。爪片３８は、クリック腕１０５の下端寄りのデッドポイント４０を乗り越えて収納姿勢を維持し、あるいは使用姿勢になるまでクリック腕１０５に沿ってスライド移動する。この実施例における節度機構は、実施例１の節度機構と同様に肌処理ヘッド６を使用姿勢に向かって移動付勢する付勢手段７７を兼ねている。この実施例から理解できるように、弾性変形体は、第１操作具２５とクリックリブ３７のいずれの側に設けてあってもよい。
【０１００】
上記の実施例以外に、ヘッド支持機構１６は、使用姿勢に切換えた肌処理ヘッド６が本体ケース１から垂直姿勢のままで平行に突出するように、あるいは前傾姿勢で突出するように構成してあってもよい。また、使用姿勢における肌処理ヘッド６は、少なくとも肌接触面４４ａが本体ケース１の外面から突出していればよいが、使用姿勢における肌処理ヘッド６の背面が、本体ケース１の外面から突出していることが好ましい。また、肌処理ヘッド６をヘッド収容部５に収納した状態においては、肌処理ヘッド６の少なくとも左右周面と下周面をヘッド収容部５で覆うようにしてあれば、肌処理ヘッド６をヘッド収容部５の周囲壁で保護できる。上記の実施例では、肌処理ヘッド６を収納姿勢に切換えた状態において、同ヘッド６の全体が本体ケース１の厚み範囲内に収まるようにしたが、その必要はなく、肌処理ヘッド６の一部が、ヘッド収容部５の前面あるいは後面から僅かに突出していてもよい。要は、収納姿勢において、肌処理ヘッド６の大半の部分がヘッド収容部５に収容されていればよい。
【０１０１】
上記の実施例では、肌処理ヘッド６に肌電極４４とヒーター４７を設けるようにしたが、その必要はない。例えば、肌処理ヘッド６に音波振動バイブレーター、あるいは超音波装置が設けてあってもよく、さらに、肌面に光を照射して肌を活性化する光ケア装置が設けてあってもよい。また、肌処理ヘッド６に設けられる美容刺激付与手段は単独で設けてあってもよく、複数の美容刺激付与手段が組み合わせて設けてあってもよい。
【符号の説明】
【０１０２】
１  本体ケース
２  充電スタンド
４  グリップ部
５  ヘッド収容部
６  肌処理ヘッド
１６  ヘッド支持機構
１７  支持リンク体
１８  操作機構
２５  第１操作具
２６  第２操作具
２８  操作ノブ
３６  クリック腕
３７  クリックリブ（クリック突起）
４３  電極ホルダー
４４  肌電極
５２  キャップ
５３  キャップ装着部
Ｍ  綿マット
【図１】
0006654785.tif 000002
【図２】
0006654785.tif 000003
【図３】
0006654785.tif 000004
【図４】
0006654785.tif 000005
【図５】
0006654785.tif 000006
【図６】
0006654785.tif 000007
【図７】
0006654785.tif 000008
【図８】
0006654785.tif 000009
【図９】
0006654785.tif 000010
【図１０】
0006654785.tif 000011
【図１１】
0006654785.tif 000012
【図１２】
0006654785.tif 000013
【図１３】
0006654785.tif 000014
【図１４】
0006654785.tif 000015
【図１５】
0006654785.tif 000016
【図１６】
0006654785.tif 000017
【図１７】
0006654785.tif 000018
【図１８】
0006654785.tif 000019
【図１９】
0006654785.tif 000020
【図２０】
0006654785.tif 000021
【図２１】
0006654785.tif 000022
【図２２】
0006654785.tif 000023
【図２３】
0006654785.tif 000024
【図２４】
0006654785.tif 000025
【図２５】
0006654785.tif 000026